(57)【要約】移動局のために割り当てられているシステム源の減少を引き起こす、移動局のソフトハンドオフの少なくとも可能性を検出すると、  該移動局のために割り当てられているシステム源の減少が実際に影響する前に、該移動局をサポートするために現在割り当てられた少なくとも１つの基地局の順方向チャネル利得を自動的に調節する。
2009501497.tif 000002
【特許請求の範囲】
【請求項１】
移動局のために割り当てられているシステム源の正味の減少を引き起こす、移動局のソフトハンドオフの少なくとも可能性を検出する工程と、
該移動局のために割り当てられているシステム源の減少が実際に影響する前に、該移動局をサポートするために現在割り当てられた少なくとも１つの基地局の順方向チャネル利得を自動的に調節する工程と、
からなる方法。
【請求項２】
移動局のソフトハンドオフの少なくとも可能性を検出する前記工程が、
該移動局をサポートするために現在割り当てられている一組のシステム源から、同システム源のうちの少なくとも１つを減らす必要があることを示唆しているメッセージを移動局から受信する工程と、
現在割り当てられている一組のシステム源のうちの少なくとも１つを減らすことによって、その移動局をサポートするために割り当てられているシステム源の正味の全体量が減るか否かを判断する工程と、
からなる請求項１に記載の方法。
【請求項３】
移動局のために割り当てられているシステム源の減少を引き起こさないような、移動局のソフトハンドオフの可能性を検出する前記工程が更に、ソフトハンドオフの際に、移動局を現在サポートしている少なくとも１つの基地局の順方向チャネル利得を自動的に調節する工程からなる請求項１に記載の方法。
【請求項４】
ソフトハンドオフの検出器と、
ソフトハンドオフ検出器に応答して、ソフトハンドオフがその移動局のために割り当てられているシステム源の減少を引き起こす時を判断すべく構成されている、割り当てられるシステム源計算機と、
割り当てられるシステム源計算機に応答して、ソフトハンドオフに実際に影響する前に、その移動局をサポートするために割り当てられた少なくとも１つの基地局の順方向チャネル利得を自動的に調節すべく構成された基地局順方向チャネル利得調節器と、からなる装置。
【請求項５】
前記装置が基地局からなる請求項４に記載の装置。
【請求項６】
前記ソフトハンドオフの検出器に動作可能に接続されて、移動局をサポートするために現在割り当てられている一組のシステム源から、少なくとも１つのシステム源を減らす必要があることを示唆するメッセージを、移動局から受信すべく構成されている受信機、を含む請求項４に記載の装置。
【請求項７】
前記基地局順方向チャネル利得調節器が、移動局をサポートするために割り当てられている一組のシステム源の減少に基づいて、その移動局をサポートするために割り当てられた少なくとも１つの基地局の順方向チャネル利得の適切な増加量を計算する手段からなる請求項４に記載の装置。
【請求項８】
移動局のために割り当てられているシステム源の減少を引き起こすような、移動局のソフトハンドオフの少なくとも可能性を検出する手段と、
同検出する手段に対応して、移動局のために割り当てられているシステム源の減少が影響する前に、その移動局をサポートするために現在割り当てられている少なくとも１つの基地局の順方向チャネル利得を自動的に調節するため手段と、からなる装置。
【請求項９】
前記検出する手段は更に、移動局をサポートするために現在割り当てられている一組のシステム源から少なくとも１つのシステム源を減らす必要があることを示唆するメッセージを移動局から受信する手段と、
同受信する手段に対応して、現在割り当てられているシステム源から少なくとも１つのシステム源を減らことが、移動局をサポートするために現在割り当てられている全システム源が減少することになるか否かを判断するための手段と、からなる請求項８に記載の装置。
【請求項１０】
前記検出する手段は更に、移動局のために割り当てられているシステム源の減少を引き起こさないような、移動局のソフトハンドオフの可能性を検出する手段を含み、更に、
移動局のために割り当てられているシステム源の減少を引き起こさないような、移動局のソフトハンドオフの可能性を検出する手段に対応して、
ソフトハンドオフの際に、移動局を現在サポートしている少なくとも１つの基地局の順方向チャネル利得を自動的に調節する手段、を含む請求項８に記載の装置。
【発明の詳細な説明】
【技術分野】
【０００１】
本発明は無線通信システムにおけるソフトハンドオフに関し、特には、基地局の順方向チャネル利得の調整に関する。
【背景技術】
【０００２】
多くの無線通信システムは、複数の、可能性のある接続点を提案している。その構成においては、移動局がある地点から他の地点に移動すると、移動局が通信システムと接続する接続点は変化し得る。そのような移動を容易にするために、多くの通信システムは幾つかのハンドオフ（ハンドオーバーと呼ぶ場合もある）形式を有する。いわゆるソフトハンドオフでは通常、既存の接続点が解消される以前に、新しい接続点が確立される。
【発明の開示】
【発明が解決しようとする課題】
【０００３】
ＣＤＭＡ通信システム等の幾つかのシステムでは、移動局が複数の接続点（すなわち基地局）に同時に接続することができる。したがって、ソフトハンドオフによって、その移動局をサポートするために現在割り当てられているシステム源の量の全体が増減することになる。例えば、ある移動局が現在３地点で接続されているとすると、ソフトハンドオフによって、移動局をサポートするために割り当てられるチャネル源は同数、増加（４つの接続点になる）、あるいは減少（２つの接続点になる）になる。
【０００４】
ソフトハンドオフによって、ある移動局に対して割り当てられるチャネル源の数が減少すると、サービスの質は低下する可能性がある。そのような結果を改善する方法として、得られた接続点への補償のために１つ以上の残っている基地局の順方向チャネルの利得を自動調整することは周知である。この調整はソフトハンドオフが完了した後に行なわれる。残念ながら、この方法は必ずしもサービスの質の維持や向上の要求を満たさない。ハンドオフ中の順方向チャネルの利得の調整後、伝送サービスの質が一時的に劣化する可能性もある。
【課題を解決するための手段】
【０００５】
一般的に、これらの実施例によると、その移動局に割り当てられたチャネル源がソフトハンドオフによって減少するような、少なくとも１つの移動局のソフトハンドオフの可能性を検出すると、割り当てられたチャネル源の減少が実際に影響する以前に、移動局をサポートしている少なくとも１つの基地局の順方向チャネルの利得を自動調整する。
【０００６】
ソフトハンドオフの可能性の検出は、例えば、移動局をサポートするために現在割り当てられている一組の作動しているシステム源から、現在割り当てられているチャネル源の少なくとも１つを削減する必要があることを示唆するメッセージを移動局から受信することを含む。好ましい実施例において、順方向チャネルの利得の前述の調整は、少なくとも部分的には、移動局をサポートするために割り当てられている一組の作動しているシステム源の減少を補償するための、順方向チャネルの利得の適切な増加を計算する工程を含む。
【０００７】
そのような構成によって、移動局は、次のソフトハンドオフの際や更にその後のソフトハンドオフでの充分なサービスの質を保証され易くなる。多くの場合、サービスの質は、一時的に劣化することはなくて、維持されるか向上する。これらの実施例は、少なくとも多くの通信システムにおいて、移動局の改変を必要とせずに行なわれ得るので、使用し易い。
【発明を実施するための最良の形態】
【０００８】
これらの利点やその他の利点は、下記の詳細説明によって明らかになるであろう。図１は、移動局の少なくとも１つのソフトハンドオフの可能性を検出１０１する工程例１００を示す。検出メカニズムやトリガ（ｔｒｉｇｇｅｒ）は、システムの特性によって種々に異なる。
【０００９】
一例として、少なくとも１つのソフトハンドオフの可能性を検出する工程は、移動局をサポートするために現在割り当てられている一組の作動しているシステム源（例えば、割り当てられている基地側の接続点）から、現在割り当てられているチャネル源の少なくとも１つを削減する必要があることを示唆するメッセージ（例えば、あるＣＤＭＡ通信システムでの現在作動中の一組から１つのパイロット（接続点に対応）を削減すべきことを示唆するパイロット強度測定メッセージ）を、移動局から受信することを含む。
【００１０】
この工程１００によって、現在割り当てられているチャネル源の少なくとも１つを削減することが、移動局をサポートするために現在割り当てられているシステム源の正味の減少になるか、を判断する。正味の減少になるならば、割り当てられているチャネル源の全量が減らされて、対応するソフトハンドオフに影響を与える。次に、この工程は、現在割り当てられているシステム源の正味の減少に実際に影響を与える前に（即ち、ソフトハンドオフに影響を与える前に）、移動局を現在サポートしている少なくとも１つの基地局の順方向チャネル利得の調整を自動的に容易にするためになされるのが望ましい。好ましい実施例においては、少なくとも部分的には、移動局をサポートするために配置されており、ソフトハンドオフに影響を与える、実際の一組のシステム源の減少を考慮した上での順方向チャネル利得の適当増加量の計算の、少なくとも部分的には、関数としての順方向チャネル利得の調整を含む。
【００１１】
そのような計算の仕様は、当然ながらシステムによって異なり、システム管理者の必要性や要求によっても異なる。例えば、この計算は、現在のサービスレベルの質を少なくとも維持するための順方向チャネル利得を得るために重み付けしてもよい。別例では、この計算は、現在のサービスレベルの質に関係なく、サービスの質の目標と一致させるための順方向チャネル利得を得るために重み付けしてもよい（例えば、ハンドオフ後に新しくめざすサービスレベルの質が、サービスの質の目標と今までに達成されたサービスレベルの質との関連で大きく高くても低くてもよい）。
【００１２】
この順方向チャネル利得の調整の工程が、必要ならば、現在割り当てられている複数のシステム源のそれぞれの調整であってもよい。例えば、ある移動局が５つの基地局によってサポートされていて、次に、４つの基地局によってサポートされているソフトハンドオフをしようとしている場合（４つのうちの１つは、それまでの５つとは異なる新しい基地局）、本技術を応用して、移動局を今までサポートしていた３つの移動局の各順方向チャネルの利得を増大させて、ソフトハンドオフ後の移動局のサポートを続けることは有用である。
【００１３】
割り当てられているシステム源が減少したか否かを判断する工程１０２で、そのような減少が起こっていないという結論になる場合もある。例えば、当てられているシステム源の真の数が同じか増えている場合もある。そのような場合、工程１００は、望ましい行動をする。一例として、図１に示すような随意の対応で、この工程１００は、現在移動局をサポートしている少なくとも１つの基地局の順方向利得を自動的に調整１０４して、ソフトハンドオフに実際に影響を与える場合もある。もちろんこの場合、ハンドオフ以前と比べて、このような環境下で充分であることが認められる。
【００１４】
このような構成で、これらの実施例は、ソフトハンドオフに影響を与える以前に、１つ以上の基地局の順方向利得値を動的に増加させて、移動局の接続点が正味で減少するソフトハンドオフを補償する（あるいは、少なくとも影響を緩和する）。特に、ＣＤＭＡ通信システムにおける基地局の順方向利得値を増加させて、対応する電力、したがって対応する実効帯域幅やサービスの質を増加させる。適切に計算されると、この増加は、チャネル源の損失を有効に補償して、現在のサービスのレベルを維持するか必要ならば増大させる。これによって、通信リンクの信頼性を維持し、移動局の正確なソフトハンドオフ状態を維持して、それによって通話の連続性と実行可能性が維持される。
【００１５】
これらの利点は、現在設計されたり使用されている移動局を改変せずに達成される。これらの実施例は例えば、必要ならば現在使用されているインフラ装置のプログラムの変更によってすぐに実施できる。
【００１６】
上述のプロセスは、当業者に周知のプログラム可能プラットフォームやある用途に望まれる専用のプラットフォームの、一部や全体を含む、使用可能なあるいはすでに構築されている種々のプラットフォームにもすぐに使用できる。図２は、そのようなプラットフォームへの応用例を図示する。
【００１７】
随意的なしかし好ましい実施例に従って、ＣＤＭＡ通信システムを利用する基地局（そして代表的には、その移動局を現在サポートしている基地局）によって、これらの実施例は装置２００で実行される。この装置２００は、ソフトハンドオフ検出器２０１が割り当てられるシステム源計算機２０３に接続され、システム源計算機２０３が基地局順方向チャネル利得調節器２０４を駆動する。
【００１８】
特に、ソフトハンドオフ検出器２０１は、少なくとも移動局のハンドオフが起こる可能性を検知すべく構成されているのが望ましい。一実施例に従って、対応する受信機２０２を介して、その移動局からのメッセージを受信し、そのメッセージは、その移動局をサポートするために現在割り当てられている一組のシステム源から、少なくとも１つを減らす必要があることを示唆している。
【００１９】
次に、割り当てられるシステム源計算機２０３がソフトハンドオフ検出器２０１に応答して、ソフトハンドオフがその移動局のために割り当てられているシステム源の減少を引き起こす時を判断すべく構成されている。これは例えば、現在割り当てられる基地側接続の数とハンドオフ後に割り当てられる基地側接続の数との差異を定量的に決定するために計算する。割り当てられるシステム源計算機２０３による結論が更に、基地局順方向チャネル利得調節器２０４に通報される。
【００２０】
特に、基地局順方向チャネル利得調節器２０４は、ソフトハンドオフに実際に影響する前に、割り当てが減少しようとする時にその移動局をサポートするために割り当てられた少なくとも１つの基地局の順方向チャネル利得を自動的に調節するのが望ましい。順方向チャネル利得の計算はすでに当業者に周知の技術であり、必要ならばこの設定に使用され得る。しかしながら、これらの実施例に従って、全体のシステム源の減少が起こりそうになると、この計算は、あたかも減少がすでに起こったかのように計算を実行することが望ましい。もちろんそれは現在の状況と対比するものである。
【００２１】
上述のプラットフォームや工程は、与えられたシステムの制限や能力に最も適応して活用するように、分散や集中して実行できる。たとえば、各基地局はそれぞれ独立に検出、計算、調整できる。或いは必要ならば、このような計算や調整は、基地局群の代わりに、主基地局や他のサーバーが行ってもよい。当業者ならば他の可能性も実現され得るであろう。
【００２２】
そのように構成されると、ソフトハンドオフが移動局のために割り当てられているシステム源の減少を引き起こす、移動局のソフトハンドオフの少なくとも可能性の検出を容易にするためのメカニズムが実現できる。これらの実施例によって、移動局のために割り当てられているシステム源の減少が実際に影響する前に、その移動局をサポートするために現在割り当てられた少なくとも１つの基地局の順方向チャネル利得を自動的に調節できる。
【００２３】
上述のように、少なくとも幾つかの応用におけるソフトハンドオフの可能性の検出は、その移動局をサポートするために現在割り当てられている一組のシステム源から、少なくとも１つを減らす必要があることを示唆しているメッセージを移動局から受信する。この実施例は必要ならば、移動局のために割り当てられているシステム源が減少しない状態でソフトハンドオフが継続し得る、現在の順方向チャネル利得自動調節法にも適合できる。
【００２４】
そのように構成されることによって、サービスレベルの質は、ソフトハンドオフの際に達成され得る現在と等しいか、それ以上になる。移動局の改変を必要とせずにこの方法が展開できるので、この方法による利益が合理的な費用で、過度の管理努力や時間を必要とせずに得られる。
【００２５】
上述の実施例に対して、本発明の精神や範囲を逸脱することなく、多くの改変や改良およびその組合せが可能である。そのような改変や改良およびその組合せは、本発明の技術思想内にある。
【図面の簡単な説明】
【００２６】
【図１】本発明の種々の実施例の構成フローダイアグラム。
【図２】本発明の種々の実施例の構成ブロックダイアグラム。
【図１】
2009501497.tif 000003
【図２】
2009501497.tif 000004